(57)【要約】【課題】非常時に容易かつ迅速に組み立てることができる間仕切り及びその組立用の固定具を提供する。【解決手段】柱部材１、パネル２及び固定具３から成り、固定具３は、巻き込むような折り曲げにより形成された対向する２つの筒部３２に、それぞれ両側端寄り部分から中央寄り部分へかけて斜め方向に延びる２本のスロット３３が刻まれたものとする。柱部材１の柱板１１が十字状をなす状態で、柱板１１の端縁部を固定具３のスロット３３に差し込んで、自立する柱体４を形成する。区画形成時には、パネル２を柱板１１の凹部１３に差し込んで、柱体４によりパネル２が起立状態で保持されるものとする。【選択図】図１
0003222106.tif 000002
【実用新案登録請求の範囲】
【請求項１】
柱板(11)から成る柱部材(1)と、前記柱部材(1)に接続される平板のパネル(2)と、前記柱部材(1)を結合して柱体(4)を形成する固定具(3)とから構成され、
前記柱部材(1)は、それぞれの前記柱板(11)の外側縁に複数の凹部(13)と凸部(14)とが交互に上下に並んだ形状とされ、
前記パネル(2)は、前記柱部材(1)の下端から前記柱板(11)の２つ以上の凹部(13)に及ぶ高さを備え、
前記固定具(3)は、巻き込むような折り曲げにより形成された対向する２つの筒部(32)に、それぞれ両側端寄り部分から中央寄り部分へかけて斜め方向に延びる２本のスロット(33)が刻まれたものとされ、
前記柱部材(1)が突き合わされ、前記柱板(11)が十字状をなす状態で、その端縁部が前記固定具(3)のスロット(33)に差し込まれて、前記柱体(4)が自立する形態とされ、
前記パネル(2)が前記柱板(11)の凹部(13)に差し込まれて、前記柱体(4)により前記パネル(2)が起立状態で保持される間仕切り。
【請求項２】
前記柱部材(1)は、前記柱板(11)が縦方向の中折線(12)を介して対をなすように連なったものとされており、
前記柱部材(1)が中折線(12)に沿って折り曲げられ、山折側で２枚背中合わせに突き合わされて前記固定具(3)で結合されることにより、前記柱体(4)が形成されていることを特徴とする請求項１に記載の間仕切り。
【請求項３】
前記柱部材(1)における柱板(11)の凸部(14)は、接地する下端のものが前記中折線(12)から最も長く突出しており、前記柱板(11)の上下に並ぶ凹部(13)のうち、上方の凹部(13)は、下方の凹部(13)よりもその上側の凸部(14)からの深さが浅くなっていることを特徴とする請求項１又は２に記載の間仕切り。
【請求項４】
前記固定具(3)の一方の筒部(32)に刻まれた２本のスロット(33)の対称軸に対して、他方の筒部(32)に刻まれた２本のスロット(33)の対称軸がずれており、
前記柱体(4)を形成する２枚の柱部材(1)がそれぞれ前記固定具(3)の対向する筒部(32)のスロット(33)にわたって差し込まれた状態で、前記柱部材(1)の中折線(12)に臨む部分同士が重なり合うことを特徴とする請求項２又は３に記載の間仕切り。
【請求項５】
天板(31)の対向端に順次連設された外側板(32a)及び内側板(32b)が巻き込むように折り曲げられて、対向する２つの筒部(32)が形成され、
前記筒部(32)には、前記外側板(32a)と内側板(32b)に及ぶように、それぞれ両側端寄り部分から中央寄り部分へかけて斜め方向に延びる２本のスロット(33)が刻まれ、
前記対向する筒部(32)のそれぞれ２本のスロット(33)には、シート材が十字状をなすように差し込まれて結合される固定具。
【請求項６】
前記一方の筒部(32)に刻まれた２本のスロット(33)の対称軸に対して、他方の筒部(32)に刻まれた２本のスロット(33)の対称軸がずれており、
折り曲げられた２枚のシート材が前記対向する筒部(32)のスロット(33)にわたって差し込まれた状態で、前記シート材の折目に臨む部分同士が重なり合うことを特徴とする請求項５に記載の固定具。
【考案の詳細な説明】
【技術分野】
【０００１】
この考案は、例えば、災害発生時に避難場所において仮設的に使用する間仕切り及びその組立用の固定具に関するものである。
【背景技術】
【０００２】
地震や台風による大規模な災害が発生したときには、家屋が損壊した住民や、電気・水道などのライフラインの供給が停止した地域の住民のため、学校の体育館や公民館等の公共施設が避難場所として使用される。ところが、このような避難場所では、大きな空間に多数の家族が集合することとなるため、プライバシーが保たれず、避難した住民はストレスを感じることが多い。
【０００３】
その対策として、下記特許文献１においては、図８及び図９に示すように、段ボールを利用した間仕切りが提案されている。この間仕切りは、段ボール製のパネル５１、下部ジョイント５２及び上部ジョイント５３並びに短い角筒状のコーナー材５４から成る。
【０００４】
この間仕切りにおいて、図８に示すパネル５１の延長接続部では、下部ジョイント５２及び上部ジョイント５３で隣接するパネル５１を繋ぎ、図９に示すパネル５１のコーナー接続部では、角度をもって交わるパネル５１に２個のコーナー材５４を上下から嵌め込む構成となっている。
【先行技術文献】
【特許文献】
【０００５】
【特許文献１】特開２００３−１２９５９３号公報
【考案の概要】
【考案が解決しようとする課題】
【０００６】
しかしながら、上記のような間仕切りでは、下部ジョイント５２が複雑な形状となっているにもかかわらず、パネル５１のコーナー接続部に使用できず、別途角筒状のコーナー材５４を要することから、災害発生時等の非常時に一般市民が容易に組み立てることができないという問題がある。
【０００７】
そこで、この考案は、非常時に容易かつ迅速に組み立てることができる間仕切り及びその組立用の固定具を提供することを課題とする。
【課題を解決するための手段】
【０００８】
上記課題を解決するため、この考案に係る間仕切りは、柱板から成る柱部材と、前記柱部材に接続される平板のパネルと、前記柱部材を結合して柱体を形成する固定具とから構成され、
前記柱部材は、それぞれの前記柱板の外側縁に複数の凹部と凸部とが交互に上下に並んだ形状とされ、
前記パネルは、前記柱部材の下端から前記柱板の２つ以上の凹部に及ぶ高さを備え、
前記固定具は、巻き込むような折り曲げにより形成された対向する２つの筒部に、それぞれ両側端寄り部分から中央寄り部分へかけて斜め方向に延びる２本のスロットが刻まれたものとされ、
前記柱部材が突き合わされ、前記柱板が十字状をなす状態で、その端縁部が前記固定具のスロットに差し込まれて、前記柱体が自立する形態とされ、
前記パネルが前記柱板の凹部に差し込まれて、前記柱体により前記パネルが起立状態で保持されるものとしたのである。
【０００９】
また、前記柱部材は、前記柱板が縦方向の中折線を介して対をなすように連なったものとされており、
前記柱部材が中折線に沿って折り曲げられ、山折側で２枚背中合わせに突き合わされて前記固定具で結合されることにより、前記柱体が形成されているものとしたのである。
【００１０】
また、前記柱部材における柱板の凸部は、接地する下端のものが前記中折線から最も長く突出しており、前記柱板の上下に並ぶ凹部のうち、上方の凹部は、下方の凹部よりもその上側の凸部からの深さが浅くなっているものとしたのである。
【００１１】
また、前記固定具の一方の筒部に刻まれた２本のスロットの対称軸に対して、他方の筒部に刻まれた２本のスロットの対称軸がずれており、
前記柱体を形成する２枚の柱部材がそれぞれ前記固定具の対向する筒部のスロットにわたって差し込まれた状態で、前記柱部材の中折線に臨む部分同士が重なり合うものとし、柱部材同士の突合部に隙間ができないようにしたのである。
【００１２】
そして、上記固定具は、天板の対向端に順次連設された外側板及び内側板が巻き込むように折り曲げられて、対向する２つの筒部が形成され、
前記筒部には、前記外側板と内側板に及ぶように、それぞれ両側端寄り部分から中央寄り部分へかけて斜め方向に延びる２本のスロットが刻まれ、
前記対向する筒部のそれぞれ２本のスロットには、シート材が十字状をなすように差し込まれて結合されるものとしたのである。
【００１３】
また、前記固定具において、前記一方の筒部に刻まれた２本のスロットの対称軸に対して、他方の筒部に刻まれた２本のスロットの対称軸がずれており、
折り曲げられた２枚のシート材が前記対向する筒部のスロットにわたって差し込まれた状態で、前記シート材の折目に臨む部分同士が重なり合うものとし、シート材同士の突合部に隙間ができないようにしたのである。
【考案の効果】
【００１４】
この考案に係る間仕切りでは、柱部材の固定具を、巻き込むように折り曲げるだけで形成でき、固定具のスロットへ柱部材の柱板を差し込んで結合することにより、自立する柱体を形成し、十字状をなす柱板の凹部に差し込んだパネルを起立状態に保持して、区画を構成することができる。
【００１５】
このため、災害発生時に一般市民が戸惑うことなく容易かつ迅速に組み立てて、避難所の設営作業を行うことができる。
【００１６】
また、固定具の一方の筒部に刻まれた２本のスロットの対称軸に対して、他方の筒部に刻まれた２本のスロットの対称軸がずれているので、柱体の柱部材同士の突合部に隙間ができることがなく、区画内の避難者のプライバシーが確保される。
【図面の簡単な説明】
【００１７】
【図１】この考案に係る間仕切りによる区画構成例を示す斜視図
【図２】同上の間仕切りの柱部材、パネル及び固定具のブランクを示す図
【図３】同上の固定具のブランクの拡大図
【図４】同上の固定具の組立状態を上方から示す斜視図
【図５】同上の固定具の組立状態を下方から示す斜視図
【図６】同上の柱体の組立状態を示す斜視図
【図７】同上の固定具による柱部材同士の結合部を示す平面図
【図８】特許文献１に記載の間仕切りのパネルの延長接続部を示す斜視図
【図９】同上のパネルのコーナー接続部を示す斜視図
【考案を実施するための形態】
【００１８】
以下、この考案の実施形態を添付図面に基づいて説明する。
【００１９】
図１に示すように、この間仕切りは、柱部材１、パネル２及び固定具３から災害発生時の避難所等に区画を形成するものであり、段ボールシートを材料とする図２に示すブランクから形成される。
【００２０】
図２に示すように、柱部材１のブランクは、一対の柱板１１が縦方向の中折線１２を介して連なるものとされ、それぞれの柱板１１の外側縁には、２つのＶ字状の凹部１３と３つの台形状の凸部１４とが交互に上下に並んで形成されている。また、凹部１３の底部から中折線１２の方向へ向けて短い切込１３ａが入れられている。
【００２１】
柱板１１の凸部１４は、間仕切りの組立時に接地する下端のものが中折線１２から水平方向に最も長く突出しており、柱板１１の上下に並ぶ２つの凹部１３のうち、上方の凹部１３は、下方の凹部１３よりも上側の凸部１４からの深さが浅くなっている。
【００２２】
パネル２のブランクは、縦長の長方形とされ、高さが柱部材１と同一とされている。なお、パネル２は、柱部材１の下端から柱板１１の下方の凹部１３と上方の凹部１３に及ぶ高さを備えておれば、柱部材１より高くても低くてもよい。
【００２３】
図３に示すように、固定具３のブランクは、長さ方向の中央部に位置する天板３１の対向端に、それぞれ筒部３２を形成する部分として、折目となる罫線を介し外側板３２ａ及び内側板３２ｂが順次連設され、内側板３２ｂの先端中央部から折目となる罫線を介し差込片３２ｃが突出し、天板３１に差込穴３１ａが形成されたものとなっている。
【００２４】
また、一対の筒部３２を形成する部分には、それぞれ外側板３２ａと内側板３２ｂに及ぶように、両側端寄り部分から中央寄り部分へかけて八の字状に斜め方向に延びる２本のスロット３３が刻まれている。
【００２５】
スロット３３の幅は、外側板３２ａと内側板３２ｂの境界部分が広く、その部分から両端方向へかけて次第に狭くなり、両端寄り部分が一定となっている。
【００２６】
一方の筒部３２を形成する部分に刻まれた２本のスロット３３の対称軸は、幅方向の中央に位置し、その対称軸に対して、他方の筒部３２を形成する部分に刻まれた２本のスロット３３の対称軸は、段ボールの厚さに相当する変位ｄだけずれている。
【００２７】
図４及び図５に示すように、固定具３の組み立てに際しては、天板３１から各一対の外側板３２ａ及び内側板３２ｂを巻き込むように折り曲げ、差込片３２ｃ同士を突き合わせて差込穴３１ａに差し込むだけでよい。これにより、固定具３には、天板３１で連なって対向する２つの三角筒状の筒部３２が形成される。
【００２８】
ここで、天板３１には、後述の間仕切り組立時に、柱部材１の柱板１１をスロット３３に差し込む際、方向を間違えることなく差し込むことができるように、天板３１の両側縁における差込穴３１ａの延長線上にＶ字状の切欠を形成したり、刻印や印刷を施したりしておくとよい。また、筒部３２は、三角筒状のみならず、組立状態のスロット３３が直線状になれば、台形筒状等であってもよい。
【００２９】
図６に示すように、上記固定具３は、自立する柱体４の組み立てに使用する。この柱体４の組立に際しては、２枚の柱部材１を中折線１２に沿って直角に折り曲げ、その折曲部の山折側で背中合わせに突き合わせる。
【００３０】
このとき、組立作業者は、組立後の安定性を直感的に考慮して、柱部材１の向きを水平方向に長く突出した凸部１４が下方となるようにすると考えられる。
【００３１】
次に、柱板１１が十字状をなす状態で、それぞれの柱部材１の柱板１１の上方の端縁部を、固定具３の対向する筒部３２のスロット３３に跨って差し込むと、２枚の柱部材１の各一対の柱板１１が互いに９０°をなす状態で固定される。
【００３２】
なお、一対の柱板１１が連なった２枚の柱部材１を折り曲げて固定具３で結合するのではなく、柱部材１が単体の柱板１１のみから成るものとし、４枚の柱板１１を十字状をなすようにそれぞれスロット３３に差し込んで、固定具３により結合してもよい。
【００３３】
図７に示すように、柱体４では、固定具３の一方の筒部３２に刻まれた２本のスロット３３の対称軸に対して、他方の筒部３２に刻まれた２本のスロット３３の対称軸が変位ｄだけずらされているので、２枚の柱部材１の中折線１２に臨む部分同士が重なり合うこととなり、柱部材１同士の中折線１２に臨む部分の間に隙間ができることがない。
【００３４】
上記のように組み立てた柱体４を用いて、図１に示すように区画を構成するには、柱体４を予定した区画の４隅に置いて位置決めし、パネル２の側縁部を柱板１１の上方と下方の凹部１３に差し込む。これにより、柱体４を介しパネル２が９０°の角度をもって交わるように起立した状態で保持される。
【００３５】
続いて、区画の同一辺を形成するパネル２同士を、中折線１２に沿って折り曲げていない柱部材１を介して、パネル２の側縁部を柱板１１の上方と下方の凹部１３に差し込むことにより接続する。
【００３６】
パネル２の凹部１３への差込に際しては、上方の凹部１３の方が下方の凹部１３よりもその上側の凸部１４からの深さが浅くなっていることから、上方と下方の凹部１３の深さが同じ場合よりも、差込の途中までの抵抗が軽減され、パネル２を真っ直ぐにした状態でそれぞれの凹部１３の奥まで容易に差し込むことができる。
【００３７】
このとき、切込１３ａは、それぞれの凹部１３の上側と下側の凸部１４を相反する方向へ撓ませて、パネル２を差し込みやすくするためのものであるため、パネル２は、切込１３ａまでは差し込まず、その手前で止めておく。
【００３８】
上記のような間仕切りでは、柱部材１の固定具３を、巻き込むように折り曲げるだけで形成でき、固定具３のスロット３３へ２枚の柱部材１を差し込んで結合することにより、自立する柱体４を形成し、十字状をなす柱板１１の凹部１３に差し込んだパネル２を起立状態に保持して、区画を構成することができる。
【００３９】
このため、災害発生時に一般市民が戸惑うことなく容易かつ迅速に組み立てて、避難所の設営作業を行うことができる。
【００４０】
また、単一の区画だけでなく、複数の区画を連続して構成することができ、設置場所の状況に応じて、パネル２の接続枚数や柱体４の設置本数を調整することにより、区画の大きさや形状を変更することもできる。
【００４１】
また、固定具３の一方の筒部３２に刻まれた２本のスロット３３の対称軸に対して、他方の筒部３２に刻まれた２本のスロット３３の対称軸がずれているので、柱体４の柱部材１同士の突合部に隙間ができることがなく、区画内の避難者のプライバシーが確保されるほか、柱部材１の相対的な動きが抑制され、間仕切りの保形性が向上する。
【００４２】
ここで、柱部材１とパネル２の高さは、視線の遮蔽性と安全確認の容易性のバランスを考慮して、１ｍ程度としておくのが好ましく、世帯単位での使用を考慮して、各区画が２畳程度の面積になるようにし、近年各地の避難所に準備されつつある段ボール製ベッドを収容できるようにしておくとよい。
【００４３】
また、各区画の出入口等の開口部を形成するため、柱部材１の中折線１２を軸にパネル２を開閉できるようにしたり、柱部材１の柱板１１やパネル２を適宜カッターで切断してもよい。
【００４４】
なお、上記実施形態では、間仕切りにより、避難所等に区画を構成する場合について例示したが、上記間仕切りは、見本市等の展示会場においてブースの区画を構成する場合等に使用することもできる。
【００４５】
また、固定具３は、間仕切りの柱体４の組み立てだけでなく、自立する広告パネルのような構造物におけるシート材の結合に使用することもできる。この場合、固定具３及びこれにより結合されるシート材は、紙製の中空構造の段ボールだけでなく、板紙を複数枚密着するように貼り合わせた合紙や、リブ構造を有するプラスチック製の段ボール等から成るものであってもよい。
【００４６】
また、固定具３は、間仕切り等の構造物の上部側で柱部材１同士を結合する場合だけでなく、構造物の下部側で柱部材１同士を結合する場合にも使用することができる。
【符号の説明】
【００４７】
１  柱部材
２  パネル
３  固定具
４  柱体
１１  柱板
１２  中折線
１３  凹部
１３ａ  切込
１４  凸部
３１  天板
３１ａ  差込穴
３２  筒部
３２ａ  外側板
３２ｂ  内側板
３２ｃ  差込片
３３  スロット
ｄ  変位
【図１】
0003222106.tif 000003
【図２】
0003222106.tif 000004
【図３】
0003222106.tif 000005
【図４】
0003222106.tif 000006
【図５】
0003222106.tif 000007
【図６】
0003222106.tif 000008
【図７】
0003222106.tif 000009
【図８】
0003222106.tif 000010
【図９】
0003222106.tif 000011
【手続補正書】
【提出日】令和1年5月8日(2019.5.8)
【手続補正１】
【補正対象書類名】実用新案登録請求の範囲
【補正対象項目名】請求項３
【補正方法】変更
【補正の内容】
【請求項３】
前記柱部材(1)における柱板(11)の凸部(14)は、接地する下端のものが前記中折線(12)から最も長く突出しており、前記柱板(11)の上下に並ぶ凹部(13)のうち、上方の凹部(13)は、下方の凹部(13)よりもその上側の凸部(14)からの深さが浅くなっていることを特徴とする請求項２に記載の間仕切り。